(57)【要約】      （修正有）【課題】内容物を外部から保護し、開封時に開封手段が設計通りにスパウトから離脱し、飲用時に容器内部に残留若しくは落下することがなく、スパウトが高い信頼性を有し、低コストで製造できる注出口栓及び液体用包装容器を提供する。【解決手段】液体用包装容器は、容器の注出孔に設けられ、注出筒及び基部を有するスパウトと、スパウトを覆うキャップと、プルタブと、プルリングとからなる注出口栓を有する液体用包装容器であって、封止フィルムがガスバリア性を有し、注出孔を容器内側から覆い、注出筒の内周面とプルタブの外周部とが破談容易なブリッジを介して一体化し、注出筒の下面に接する封止フィルムに設けられた第１連通孔を介して一体化し、容器壁を挟んで基部と対向する内側基部を有し、プルタブの下面に接する封止フィルムに設けられた第２連通孔を介して一体化し、封止フィルムを挟んでプルタブと対向する内側プルタブを有する。【選択図】図１
2008120395.tif 000002
【特許請求の範囲】
【請求項１】
破断可能な封止フィルムで封止された液体用紙容器の注出孔に設けられた注出筒及び、該注出筒と一体化して該注出孔外周辺の容器壁と接合する基部を有するスパウトと、該スパウトを覆うキャップと、該スパウトに内蔵され、該封止フィルム外面に接合されたプルタブと、該スパウトに内蔵され、該プルタブと一体化して開封時に該封止フィルムを破断するプルリングと、からなる注出口栓であって、
該封止フィルムがガスバリア性を有し、該注出孔を容器内側から覆い、
該注出筒の内周面と該プルタブの外周部とが破談容易なブリッジを介して一体化し、
該注出筒の下面に接する該封止フィルムに設けられた第１連通孔を介して一体化し、該容器壁を挟んで該基部と対向する内側基部を有し、
該プルタブの下面に接する該封止フィルムに設けられた第２連通孔を介して一体化し、該封止フィルムを挟んで該プルタブと対向する内側プルタブを有する
ことを特徴とする注出口栓。
【請求項２】
破断可能な封止フィルムで封止された液体用紙容器の注出孔に設けられ、注出筒及び、該注出筒と一体化して該注出孔外周辺の容器壁と接合する基部を有するスパウトと、該スパウトを覆うキャップと、該スパウトに内蔵され、該封止フィルム外面に接合されたプルタブと、該スパウトに内蔵され、該プルタブと一体化して開封時に該封止フィルムを破断するプルリングと、からなる注出口栓を有する液体用包装容器であって、
該封止フィルムがガスバリア性を有し、該注出孔を容器内側から覆い、
該注出筒の内周面と該プルタブの外周部とが破談容易なブリッジを介して一体化し、
該注出筒の下面に接する該封止フィルムに設けられた第１連通孔を介して一体化し、該容器壁を挟んで該基部と対向する内側基部を有し、
該プルタブの下面に接する該封止フィルムに設けられた第２連通孔を介して一体化し、該封止フィルムを挟んで該プルタブと対向する内側プルタブを有する
ことを特徴とする飲料用包装容器。
【発明の詳細な説明】
【技術分野】
【０００１】
本発明は、注出口栓及び液体用包装容器に関する。
【背景技術】
【０００２】
破断可能な封止フィルムで封止された液体用紙容器の注出孔に設けられるスパウトと、スパウトを覆うキャップと、スパウトに内蔵された開封手段、例えば、開封刃及びプルリングなどとからなる注出口栓及びその液体用包装容器は、従来、種々提案されている。（特許文献参照）
【０００３】
【特許文献１】実開昭６３-８６０２１号公報
【特許文献２】特開平０８-１８３５５５号公報
【発明の開示】
【発明が解決しようとする課題】
【０００４】
破断可能な封止フィルムで封止された液体用紙容器の注出孔に設けられるスパウトと、スパウトを覆うキャップと、スパウトに内蔵された開封刃やプルリングなど開封手段とからなる注出口栓及びその液体用包装容器は、容器本体と相俟って容器内容物を外部酸素などから保護しなくてはならない。
また、破断可能な封止フィルムやプルタブ、プルリングなどが開封時に、正確に設計通りにスパウトから離脱し、飲用時に容器内部に残留若しくは落下することを防止する必要がある。
更に、開封時及び飲用時にスパウトが容器から外れたり歪んだりしないように信頼性の高いものであることが望まれる。
しかも、注出口栓及び液体用包装容器は、低いコストで製造できなければならない。
【０００５】
本発明は、上記の必要性、切望に応えるものであり、容器内容物を外部から保護し、開封時に開封手段が設計通りにスパウトから離脱し、飲用時に容器内部に残留若しくは落下することがなく、スパウトが高い信頼性を有し、低コストで製造できる注出口栓及び液体用包装容器を提供することを目的とする。
【課題を解決するための手段】
【０００６】
この課題を解決する本発明の注出口栓は、破断可能な封止フィルムで封止された液体用紙容器の注出孔に設けられた注出筒及び、注出筒と一体化して注出孔の外周辺の容器壁と接合する基部を有するスパウトと、スパウトを覆うキャップと、スパウトに内蔵され、封止フィルムの外面に接合されたプルタブと、スパウトに内蔵され、プルタブと一体化して開封時に封止フィルムを破断するプルリングと、からなる注出口栓であって、封止フィルムがガスバリア性を有し、注出孔を容器内側から覆い、注出筒の内周面とプルタブの外周部とが破談容易なブリッジを介して一体化し、注出筒の下面に接する封止フィルムに設けられた第１連通孔を介して一体化し、容器壁を挟んで基部と対向する内側基部を有し、プルタブの下面に接する封止フィルムに設けられた第２連通孔を介して一体化し、封止フィルムを挟んでプルタブと対向する内側プルタブを有することを特徴とする。
【０００７】
この発明の液体用包装容器は、破断可能な封止フィルムで封止された液体用紙容器の注出孔に設けられ、注出筒及び、注出筒と一体化して注出孔外周辺の容器壁と接合する基部を有するスパウトと、スパウトを覆うキャップと、スパウトに内蔵され、封止フィルム外面に接合されたプルタブと、スパウトに内蔵され、プルタブと一体化して開封時に封止フィルムを破断するプルリングと、からなる注出口栓を有する液体用包装容器であって、封止フィルムがガスバリア性を有し、注出孔を容器内側から覆い、注出筒の内周面とプルタブの外周部とが破談容易なブリッジを介して一体化し、注出筒の下面に接する封止フィルムに設けられた第１連通孔を介して一体化し、容器壁を挟んで基部と対向する内側基部を有し、プルタブの下面に接する封止フィルムに設けられた第２連通孔を介して一体化し、封止フィルムを挟んでプルタブと対向する内側プルタブを有することを特徴とする。
【発明の効果】
【０００８】
以上の本発明によれば、以下の有利な効果が得られる。
破断可能な封止フィルムで封止された液体用紙容器の注出孔に設けられるスパウトと、スパウトを覆うキャップと、スパウトに内蔵された開封刃やプルリングなど開封手段とからなる注出口栓及びその液体用包装容器は、容器の器壁がない注出孔及び、ガスバリア性のないプラスチックからなるスパウトにおいて、ガスバリア性が低下する恐れがある。この発明において、注出孔をガスバリア性の封止フィルムで覆っているので、容器内容物を外部酸素ガスなどから保護することができる。
【０００９】
注出筒の内周面とプルタブの外周部とが破談容易なブリッジを介して一体化し、プルタブの下面に接する封止フィルムに設けられた第２連通孔を介して一体化し、封止フィルムを挟んでプルタブと対向する内側プルタブを有するので、開封時にプルリングを引き上げると、ブリッジで破断し、プルタブが連動して引き上げられと共に、一体化された内側プルタブも引き上げられる。
【００１０】
この際、封止フィルムはプルタブと内側プルタブとで挟まれているので、封止フィルムはプルタブ及びプルリングと共に開封時に、正確に設計通りにスパウトから離脱し、飲用時に容器内部に残留若しくは落下することを防止することができる。
【００１１】
注出筒の下面に接する封止フィルムに設けられた第１連通孔を介して一体化し、容器壁を挟んで基部と対向する内側基部を有するので、基部と内側基部とでスパウトを容器壁に固定し、開封時及び飲用時にスパウトが容器から外れたり歪んだりさせなく、信頼性を高めることができる。
【００１２】
この発明の注出口栓及び液体用包装容器では、スパウトの構成要素がすべて一体化されているので、スパウト部分を直接に注出孔にインジェクション成型法により成形でき、注出口栓及び液体用包装容器は、低いコストで製造することができる。
【００１３】
本発明は注出口栓及び液体用包装容器は、容器内容物を外部から保護し、開封時に開封手段が設計通りにスパウトから離脱し、飲用時に容器内部に残留若しくは落下することがない高い信頼性を有し、低コストで製造されることができる。
【発明を実施するための最良の形態】
【００１４】
以下、本発明の実施の形態について図面を参照しながら詳細に説明する。
図１は、この発明による注出口栓のスパウト部分の一実施例の断面図である。
図２は、この発明による注出口栓のスパウト部分を説明するための参考断面図である。
図３は、この発明による注出口栓のプルタブのブリッジを説明するための裏面図である。
図４は、この発明による注出口栓のスパウト部分の一実施例の外観斜視図である。
図５は、この発明による液体用包装容器の一実施例及び注出口栓を設けていない容器の外観斜視図である。
【００１５】
図５に示すこの実施例の液体用包装容器１は、容器頂部３に、注出孔４上にインジェクション成形により設けられたスパウト（図５に図おいてキャップに隠れ図示せず）とキャップ（外観を図示）からなる注出口栓２を有する。
この実施例の液体用包装容器１は、容器成形前の容器包装材料にインジェクション成形によりスパウトを設け、その包装材料から容器に成形し飲料などを充填した後に、キャップを嵌めて得られることができる。
【００１６】
図１及び２は、この実施例による注出口栓のスパウト部分の断面図である。
この実施例による注出口栓２のスパウト部分は、破断可能な封止フィルム４ａで封止された紙容器頂部３の注出孔４に設けられ、注出筒５及び、注出筒５と一体化して注出孔外周辺の容器壁と接合する基部６を有するスパウト７と、スパウト７を覆うキャップ（図示せず）と、スパウト７に内蔵され、封止フィルム４ａ外面に接合されたプルタブ８と、スパウト７に内蔵され、プルタブ８と一体化して開封時に封止フィルム４ａを破断するプルリング９とからなる。
【００１７】
このスパウト７では、封止フィルム４ａがガスバリア性を有し、注出孔４を容器内側から覆う。
また、注出筒５の内周面とプルタブ８の外周部とが破談容易なブリッジ（図４で図示）を介して一体化する。
更に、注出筒５の下面に接する封止フィルム４ａに設けられた第１連通孔１０を介して一体化し、容器壁を挟んで基部６と対向する内側基部１１をし有する。
しかも、プルタブ８の下面に接する封止フィルムに設けられた第２連通孔１２を介して一体化し、封止フィルムを挟んでプルタブ８と対向する内側プルタブ１３を有する。
【００１８】
この実施例による封止フィルムは、ガスバリア性を有する材料が用いられ、それらが積層された材料であってもよい。ガスバリア性を有する材料には、酸素などのガス、芳香などに関して遮断性を有するバリア性包装材料であって、アルミニウムなどの金属箔、エチレンービニルアルコール共重合体（ＥＶＯＨ）、ナイロンなどのポリアミド（ＰＡ）、ケイ素酸化物（ＳｉＯｘ）などを蒸着したプラスチックフィルム、ポリエチレンテレフタレート（ＰＥＴ）などがある。
容器の器壁がない注出孔及び、ガスバリア性のないプラスチックからなるスパウトにおいて、ガスバリア性が低下する恐れがあるが、この発明において、注出孔をガスバリア性の封止フィルムで覆っているので、容器内容物を外部酸素ガスなどから保護することができる。
【００１９】
この実施例による注出口栓は、図５に示すこの実施例の液体用包装容器１の容器頂部３の注出口栓から、キャップを取り外して開封を開始する。
図１、２及び４に示す、開封時にプルリング９を引き上げる。
図３に、プルタブのブリッジ１４を説明するための裏面図を示す。注出筒の５内周面とプルタブ８の外周部とが破談容易なブリッジ１４を介して一体化する。
【００２０】
図１に示すように、プルタブ８の下面に接する封止フィルム４ａに設けられた第２連通孔１２を介して一体化し、封止フィルムを挟んでプルタブ８と対向する内側プルタブ１３を有するので、開封時にプルリング９を引き上げると、ブリッジ１４で破断し、プルタブ８が連動して引き上げられと共に、一体化された内側プルタブ１３も引き上げられる。この際、封止フィルム４ａはプルタブ８と内側プルタブ１３とで挟まれているので、封止フィルム４ａはプルタブ８及びプルリング９と共に開封時に、正確に設計通りにスパウト７から離脱する。その結果、飲用時に容器内部に残留若しくは落下することを防止する。
【００２１】
図１に示すように、注出筒５の下面に接する封止フィルム４ａに設けられた第１連通孔１０を介して一体化し、容器壁を挟んで基部６と対向する内側基部１１を有する。従って、基部６と内側基部１１とでスパウト７を容器壁に固定し、開封時及び飲用時にスパウト７が容器１から外れたり歪んだりさせない。
【００２２】
この実施例の注出口栓付き液体用包装容器は、スパウトの構成要素がすべて一体化されているので、スパウト部分を直接に注出孔にインジェクション成型法により成形して製造する。
【００２３】
なお、本発明は前記実施の形態に限定されるものではなく、本発明の趣旨に基づいて種々変形させることが可能であり、それらを本発明の範囲から排除するものではない。
【産業上の利用可能性】
【００２４】
この発明は、ジュース、牛乳などの飲料を包装充填する注出口栓付き液体用包装容器の製造に適用することができる。
【図面の簡単な説明】
【００２５】
【図１】図１は、この発明による注出口栓のスパウト部分の一実施例の断面図である
【図２】図２は、この発明による注出口栓のスパウト部分を説明するための参考断面図である。
【図３】図３は、この発明による注出口栓のプルタブのブリッジを説明するための裏面図である。
【図４】図４は、この発明による注出口栓のスパウト部分の一実施例の外観斜視図である。
【図５】図５は、この発明による液体用包装容器の一実施例及び注出口栓を設けていない容器の外観斜視図である。
【符号の説明】
【００２６】
２  ・・  注出口栓
４ａ・・  封止フィルム
５  ・・  注出筒
６  ・・  基部
７  ・・  スパウト
８  ・・  プルタブ
９  ・・  プルリング
１０  ・・  第１連通孔
１１  ・・  内側基部
１２  ・・  第２連通孔
１３  ・・  内側プルタブ
【図１】
2008120395.tif 000003
【図２】
2008120395.tif 000004
【図３】
2008120395.tif 000005
【図４】
2008120395.tif 000006
【図５】
2008120395.tif 000007